(57)【要約】【課題】無駄な情報送信に起因する事業者側のトラフィック軽減およびユーザ側の通信料削減を実現する回線負荷低減システムおよび携帯端末装置を提供する。【解決手段】２つの同じ携帯端末装置間において、通信相手の携帯端末装置が保持している個人情報と、ユーザの携帯端末装置が保持している個人情報とを比較することによって、更新を必要とする情報だけを含む差分情報を抽出し、互いに前記差分情報を送受信し、前記差分情報を基に通信相手の個人情報の更新を行う制御部を有する。【選択図】        図１
2004172756.tif 000002
【特許請求の範囲】
【請求項１】
ユーザの個人情報を記憶する個人情報記憶手段と、
通信相手の個人情報を複数記憶する電話帳情報記憶手段と、
前記ユーザの個人情報および前記通信相手の個人情報を送受信する通信手段と、
２つの同じ携帯端末装置間で、前記通信相手の携帯端末装置が前記電話帳情報記憶手段に保持しているユーザの個人情報と、前記ユーザの携帯端末装置が前記個人情報記憶手段に保持しているユーザの個人情報とを比較することによって差分情報を抽出し、前記通信手段を用いて互いに前記差分情報を送受信し、前記差分情報を基に前記通信相手の個人情報の更新を行う制御手段とを有することを特徴とする回線負荷低減システム。
【請求項２】
ユーザの個人情報を記憶する個人情報記憶手段と、
通信相手の個人情報を複数記憶する電話帳情報記憶手段と、
前記ユーザの個人情報および前記通信相手の個人情報を送受信する通信手段と、
２つの同じ携帯端末装置間で、前記通信相手の携帯端末装置が前記個人情報記憶手段に保持している前記通信相手の個人情報と、前記ユーザの携帯端末装置が前記電話帳情報記憶手段に保持している前記通信相手の個人情報とを比較することによって差分情報を抽出し、前記通信手段を用いて互いに前記差分情報を送受信し、前記差分情報を基に前記通信相手の個人情報の更新を行う制御手段とを有することを特徴とする回線負荷低減システム。
【請求項３】
前記個人情報記憶手段は、前記ユーザについての各情報を識別する要素番号、前記各情報の内容、前記各情報の更新日時で構成されることを特徴とする請求項１または２記載の回線負荷低減システム。
【請求項４】
前記電話帳情報記憶手段は、前記通信相手についての各情報を識別する要素番号、前記各情報の内容、前記各情報の更新日時で構成されることを特徴とする請求項１または２記載の回線負荷低減システム。
【請求項５】
前記制御手段は、前記個人情報記憶手段が保持している前記個人情報の更新日時と、前記電話帳情報記憶手段が保持している前記個人情報の更新日時とを、情報ごとに比較することによって前記差分情報を抽出することを特徴とする請求項１または２記載の回線負荷低減システム。
【請求項６】
前記差分情報は、更新を必要とする情報のみで構成されることを特徴とする請求項１または２記載の回線負荷低減システム。
【請求項７】
前記制御手段は、前記通信相手の個人情報の更新の際、前記通信相手の個人情報を前記電話帳情報記憶手段に記録するとともに、現在日時情報を新たな更新日時として前記電話帳記憶手段に記録することを特徴とする請求項１または２記載の回線負荷低減システム。
【請求項８】
前記制御手段は、前記通信相手の個人情報の更新の際、前記通信相手の個人情報を受信する時に、現在日時情報を新たな更新日時として前記電話帳情報記憶手段に記録することを特徴とする請求項１または２記載の回線負荷低減システム。
【請求項９】
前記携帯端末装置は、現在時刻を計測する時計手段を有し、
前記現在日時情報は、前記時計手段から取得されることを特徴とする請求項７または８記載の回線負荷低減システム。
【請求項１０】
ユーザの個人情報を記憶する個人情報記憶手段と、
前記通信相手の個人情報を複数記憶する電話帳情報記憶手段と、
携帯端末装置間で前記ユーザの個人情報および前記通信相手の個人情報を送受信する通信手段と、
前記ユーザの個人情報および前記通信相手の個人情報とを比較して抽出した前記差分情報を用いて、前記電話帳情報記憶手段に保持している前記通信相手の個人情報を更新する制御を行う制御手段とを有し、
請求項１から９記載の回線負荷低減システムで使用されることを特徴とする携帯端末装置。
【発明の詳細な説明】
【０００１】
【発明の属する技術分野】
本発明は、ユーザ情報送受信時の回線負荷低減システムおよび携帯端末装置に関する。
【０００２】
【従来の技術】
現在普及している携帯電話等の携帯端末装置には、回線網中のデータベースやサーバ等を使用することによって通信相手の個人情報を自機に登録する機能を持つものや、通話開始時に通話相手の個人情報を受信して自機のメモリダイアル（電話帳機能）に登録する機能を持つものがある。
【０００３】
上述のような従来例として、通信端末に個人用のデータベースとは別に、ユーザ間で共通に用いるためのデータベースを所有することによって、名前、所属等の情報を検索して個人用のデータベースに自動的に登録し、また、更新することができる通信相手情報自動登録機能付き端末がある（例えば、特許文献１参照）。また、個人の電話帳への登録や相手電話番号が変更になった時、電話帳をデータベースで集中的に管理することにより、個人用の電話帳を修正することなくサーバ側の電話帳データベースとクライアントとのやり取りにて、サーバ側に登録された相手の電話番号や個人情報を基に個人用電話帳を自動的に更新してくれる電話帳管理システムがある（例えば、特許文献２参照）。また、受信した名前、電話番号の自機登録を行うかどうかをユーザが選択でき、また、受信したその他の個人データの登録についてもユーザが選択できる携帯端末がある（例えば、特許文献３参照）。また、巨大なデータ保持および回線網の使用を不要とし、容易に個人情報の登録ができ、自動的に電話帳が作成でき、登録されていない相手からの着信時でも、相手の氏名等を確認してから電話にでることができる個人情報送受信機能付き携帯電話機がある（例えば、特許文献４参照）。
【０００４】
【特許文献１】
特開平２−７９６５２号公報（１−２頁、図４）
【特許文献２】
特開２０００−１９６７７１号公報（１−３頁、図２、図３）
【特許文献３】
特開２００２−１５２３６１号公報（１−３頁、図２）
【特許文献４】
特開２０００−２０１３７５号公報（１−３頁、図１）
【０００５】
【発明が解決しようとする課題】
しかしながら、上述の従来例である特許文献１記載の通信相手情報自動登録機能付き端末および特許文献２記載の電話帳管理システムは、回線網中におけるデータ更新をするものであり、回線網を使用しなければならず、無駄なトラフィックが生じてしまう。また、特許文献３記載の個人情報登録方法および携帯端末は、電話帳登録を行う・行わないのモードを設け、該モードをユーザに設定させることにより、無駄な通信を抑制するものであり、通信を行う２者間での同期の仕組みや方式ではない。また、特許文献４記載の携帯電話機は、回線網を使用しない個人情報登録ができるが、同じ通信相手と何度も通話する場合に、既に入手済みの情報であっても毎回受け取り、更新する必要のない情報まで更新するので、無駄な情報送受信を行うことになる。
【０００６】
本発明は上記事情に鑑みてなされたものであり、通話時に通話相手の個人情報を自分の携帯電話のメモリダイアルに登録する機能を持つ携帯電話等の携帯端末装置において、必要な情報のみを取捨選択して送受信することにより、無駄な情報送信に起因する事業者側のトラフィック軽減、およびそれに伴うユーザ側の通信料削減する回線負荷低減システムおよび携帯端末装置を提供することを目的とする。
【０００７】
【課題を解決するための手段】
かかる目的を達成するために、請求項１記載の回線負荷低減システムは、ユーザの個人情報を記憶する個人情報記憶手段と、通信相手の個人情報を複数記憶する電話帳情報記憶手段と、ユーザの個人情報および通信相手の個人情報を送受信する通信手段と有し、同じ構成である２つの携帯端末装置間において、通信相手の携帯端末装置が保持しているユーザの個人情報と、ユーザの携帯端末装置が保持しているユーザの個人情報とを比較することによって差分情報を抽出し、通信手段によって互いに差分情報を送受信し、差分情報を基に通信相手の個人情報の更新を行う制御手段とを有することを特徴としている。
【０００８】
請求項２記載の回線負荷低減システムは、ユーザの個人情報を記憶する個人情報記憶手段と、通信相手の個人情報を複数記憶する電話帳情報記憶手段と、ユーザの個人情報および通信相手の個人情報を送受信する通信手段とを有し、同じ構成である２つの携帯端末装置間において、通信相手の携帯端末装置が保持している通信相手の個人情報と、ユーザの携帯端末装置が保持している通信相手の個人情報とを比較することによって差分情報を抽出し、通信手段によって互いに差分情報を送受信し、差分情報を基に通信相手の個人情報の更新を行う制御手段とを有することを特徴としている。
【０００９】
請求項３記載の回線負荷低減システムは、請求項１または２記載の回線負荷低減システムにおいて、個人情報記憶手段は、ユーザについての各情報を識別する要素番号、各情報の内容、各情報の更新日時で構成されることを特徴としている。
【００１０】
請求項４記載の回線負荷低減システムは、請求項１または２記載の回線負荷低減システムにおいて、電話帳情報記憶手段は、通信相手についての各情報を識別する要素番号、各情報の内容、各情報の更新日時で構成されることを特徴としている。
【００１１】
請求項５記載の回線負荷低減システムは、請求項１または２記載の回線負荷低減システムにおいて、制御手段は、個人情報記憶手段が保持している個人情報の更新日時と、電話帳情報記憶手段が保持している個人情報の更新日時とを、情報ごとに比較することによって差分情報を抽出することを特徴としている。
【００１２】
請求項６記載の回線負荷低減システムは、請求項１または２記載の回線負荷低減システムにおいて、差分情報は、更新を必要とする情報のみで構成されることを特徴としている。
【００１３】
請求項７記載の回線負荷低減システムは、請求項１または２記載の回線負荷低減システムにおいて、制御手段は、通信相手の個人情報の更新において、通信相手の個人情報を電話帳情報記憶手段に記録するとともに、現在日時情報を新たな更新日時として電話帳記憶手段に記録することを特徴としている。
【００１４】
請求項８記載の回線負荷低減システムは、請求項１または２記載の回線負荷低減システムにおいて、制御手段は、通信相手の個人情報の更新において、通信相手の個人情報を受信する際に、現在日時情報を新たな更新日時として電話帳情報記憶手段に記録することを特徴としている。
【００１５】
請求項９記載の回線負荷低減システムは、請求項７または８記載の回線負荷低減システムにおいて、携帯端末装置が有している時計手段から現在日時情報は取得されることを特徴としている。
【００１６】
請求項１０記載の携帯端末装置は、ユーザの個人情報を記憶する個人情報記憶手段と、通信相手の個人情報を複数記憶する電話帳情報記憶手段と、携帯端末装置間でユーザの個人情報および通信相手の個人情報を送受信する通信手段と、ユーザの個人情報および通信相手の個人情報とを比較して抽出した差分情報を用いて、電話帳情報記憶手段に保持している通信相手の個人情報を更新する制御を行う制御手段とを有し、請求項１から９記載の回線負荷低減システムで使用されることを特徴としている。
【００１７】
【発明の実施の形態】
以下、本発明の実施の形態について、添付図面を参照しながら詳細に説明する。
【００１８】
まず、本発明の実施の形態である携帯電話の構成について説明する。図２に示すように、携帯電話１（ＭＳ０１）は、端末使用者個人情報記憶領域１３（ＰＩ０１）と、登録された各個人の情報を含む電話帳情報記憶領域１４（ＴＬ１０１）を有する不揮発メモリ１２（ＮＶＭ０１）を持つ。この不揮発メモリ１２（ＮＶＭ０１）内の個人情報記憶領域１３（ＰＩ０１）および電話帳情報記憶領域１４（ＴＮ０１）は、図３の例に示すように、各情報の「要素番号」、「内容」、「更新日時」の複数の組により構成される。
【００１９】
次に、本発明の実施の形態である携帯電話間の機器構成について、図１を参照にして説明する。携帯電話１（ＭＳ０１）と同様の携帯電話２（ＭＳ０２）は、端末使用者の個人情報記憶領域２３（ＰＩ０２）と、登録された各通信相手個人の個人情報を含む電話帳情報記憶領域２４（ＴＬ１０２）を有する不揮発メモリ２２（ＮＶＭ０２）を持ち、不揮発メモリ２２（ＮＶＭ０２）内の個人情報記憶領域２３（ＰＩ０２）および電話帳情報記憶領域２４（ＴＮ０２）は、図３の例のように構成される。
【００２０】
また、図１に示すように、携帯電話１（ＭＳ０１）および携帯電話２（ＭＳ０２）は、上述の不揮発メモリ１２、２２に加え、それぞれ、携帯電話機全体を制御する制御部１５、２５、通信手段である無線部１８、２８、端末ユーザが各操作の入力を行う操作部１６、２６、各情報の表示を行う表示部１７、２７、およびアンテナ１９、２９を有する。特に、本発明の主要構成部である制御部１５、２５は、不揮発メモリの各領域から情報を取得し、各種情報テーブルを生成したり、受信した情報と保持している情報とを比較し、差分を抽出したり、情報更新の際、不揮発メモリへの記録を指示したりする。
【００２１】
次に、本発明の第１の実施の形態について図４を参照にして詳細に説明する。図４は、ＭＳ０１からＭＳ０２へ発信する場合の動作例を示している。
【００２２】
まず、ＭＳ０１の制御部１５は、電話帳情報記憶領域１４（ＴＬ０１）内に存在する、ユーザの個人情報レコードを取得し、各情報の要素番号と更新日時を含む「ＭＳ０２情報テーブル」（ＩＴ０２）を生成する（図４、Ｓ１）。そして、ＭＳ０１は、無線部１８を用いてＭＳ０２にＩＴ０２を渡す（図４、Ｓ２）。
【００２３】
ＭＳ０２の制御部２５は、端末使用者個人情報ＰＩ０２に含まれる各情報の更新日時と、ＩＴ０２に含まれる各情報の更新日時を比較して、更新すべき情報を抽出し、要素番号と内容を含む「ＭＳ０２更新情報テーブル」（ＵＴ０２）を生成する（図４、Ｓ３）。また、ＭＳ０２の制御部２５は、ＴＬ０２内に存在するＭＳ０１ユーザの個人情報レコードを取得し、「ＭＳ０１情報テーブル」（ＩＴ０１）を生成する（図４、Ｓ４）。そして、ＭＳ０２は無線部２８からＵＴ０２とＩＴ０１をＭＳ０１に送信する（図４、Ｓ５）。
【００２４】
ＭＳ０１の制御部１５は、ＭＳ０２より受信したＵＴ０２を基に、自機電話帳内のＭＳ０２ユーザの個人情報を更新し、自機が保存している現在日時情報を更新日時として記録する（図４、Ｓ６）。
【００２５】
また、ＭＳ０１の制御部１５は、端末使用者個人情報（ＰＩ０１）に含まれる各情報の更新日時と、ＩＴ０１の更新日時を比較して、更新すべき情報を抽出し、要素番号と内容を含む「ＭＳ０１更新情報テーブル」（ＵＴ０１）を生成する（図４、Ｓ７）。そして、ＭＳ０１は、ＭＳ０２にＵＴ０１を送信する（図４、Ｓ８）。
【００２６】
ＭＳ０２の制御部２５は、ＵＴ０１を基に自機電話帳内のＭＳ０１ユーザの個人情報を更新し、ＭＳ０２が保持している現在日時情報を更新日時として記録する（図４、Ｓ９）。
【００２７】
以上、本発明の第１の実施形態の説明によれば、ＭＳ０１とＭＳ０２のお互いが「相手の個人情報」と、「相手から送られた自分の個人情報と自機に登録された自分の個人情報との差分」を送り合うことによって、必要な情報のみを送受信し、無駄な情報送信に起因する事業者側のトラフィック軽減およびそれに伴うユーザ側の通信料削減が可能となる。
【００２８】
次に、本発明の第２の実施の形態について図５を参照にして詳細に説明する。第２の実施の形態は、送受信する情報量は増加するが、「自分の個人情報」と、「相手から送られた相手の個人情報と自機に登録された相手の個人情報との差分」を送り合うことによって、第１の実施の形態と同様の効果を得ることができる。本実施の形態の場合、以下のように情報が流れることになる。
【００２９】
ＭＳ０１の制御部１５は、端末使用者個人情報（ＰＩ０１）内の情報要素番号とその更新日時の複数の組を含む「ＭＳ０１情報テーブル」（ＩＴ０１）を生成する（図５、Ｓ１）。そして、ＭＳ０１は、ＩＴ０１をＭＳ０２に送信する（図５、Ｓ２）。
【００３０】
ＭＳ０２の制御部２５は、ＭＳ０１より受信したＩＴ０１に含まれる各情報の更新日時と、端末使用者個人情報（ＰＩ０２）の各情報の更新日時を比較し、更新が必要な情報の要素番号を含む「ＭＳ０１要受信情報テーブル」（ＮＲ０１）を生成する（図５、Ｓ３）。
【００３１】
また、ＭＳ０２の制御部２５は、端末使用者個人情報ＰＩ０２内の要素番号とその更新日時を含む「ＭＳ０２情報テーブル」（ＩＴ０２）を生成する（図５、Ｓ４）。そして、ＮＲ０１とＩＴ０２をＭＳ０１に送信する（図５、Ｓ５）。
【００３２】
ＭＳ０１の制御部１５は、ＩＴ０２に含まれる各情報の更新日時と、端末使用者個人情報（ＰＩ０１）の各情報の更新日時を比較し、更新が必要な情報の要素番号を含む「ＭＳ０２要受信情報テーブル」（ＮＲ０２）を生成する（図５、Ｓ６）。
【００３３】
ＭＳ０１の制御部１５は、ＮＲ０１で示された情報の内容を含む「ＭＳ０１更新情報テーブル」（ＵＴ０１）を生成する（図５、Ｓ７）。そして、ＭＳ０１の無線部１８は、ＮＲ０２とＵＴ０１をＭＳ０２に送信する（図５、Ｓ８）。
【００３４】
ＭＳ０２の制御部２２は、ＭＳ０１より受信したＵＴ０１を用いて、自機電話帳内のＭＳ０１ユーザの個人情報を更新し、不揮発メモリ２２内の電話帳情報記憶領域２４に記録する（図５、Ｓ９）。また、ＭＳ０２の制御部２５は、ＮＲ０２で示された情報の内容を含む「ＭＳ０２更新情報テーブル」（ＵＴ０２）を生成する（図５、Ｓ１０）。そして、ＭＳ０２は、ＵＴ０２をＭＳ０１に送信する（図５、Ｓ１１）。
【００３５】
そして、ＭＳ０１の制御部１５は、ＭＳ０２より受信したＵＴ０２を用いて、自機電話帳内のＭＳ０２ユーザの個人情報を更新し、不揮発メモリ１２内の電話帳情報記憶領域に記録する（図５、Ｓ１２）。
【００３６】
以上、本発明の第２の実施形態においては、電話帳内の通話相手個人情報更新の際に、自機の時計から取得した日時情報を更新日時として登録するが、通話相手から個人情報を入手する際に、相手端末から更新日時を併せて入手しても良い。その場合、ＭＳ０１とＭＳ０２が有するそれぞれの時計の著しい誤差によって、誤動作（更新日時がずれて登録されることにより、更新されるべき情報を更新しない、または更新されるべきでない情報が毎回更新される）を起こす可能性が無くなるという利点がある。
【００３７】
【発明の効果】
請求項１記載の回線負荷低減システムによれば、ユーザの個人情報を記憶する個人情報記憶手段と、通信相手の個人情報を複数記憶する電話帳情報記憶手段と、ユーザの個人情報および通信相手の個人情報を送受信する通信手段と有し、携帯端末装置間において、通信相手の携帯端末装置が保持しているユーザの個人情報と、ユーザの携帯端末装置が保持しているユーザの個人情報とを比較することによって差分情報を抽出し、通信手段によって互いに差分情報を送受信し、差分情報を基に通信相手の個人情報の更新を行う制御手段とを有することを特徴としているので、必要な情報のみを取捨選択して送受信することができ、無駄な情報送信に起因する事業者側のトラフィック軽減およびそれに伴うユーザ側の通信料削減が可能となる。
【００３８】
請求項２記載の回線負荷低減システムによれば、ユーザの個人情報を記憶する個人情報記憶手段と、通信相手の個人情報を複数記憶する電話帳情報記憶手段と、ユーザの個人情報および通信相手の個人情報を送受信する通信手段とを有し、携帯端末装置間において、通信相手の携帯端末装置が保持している通信相手の個人情報と、ユーザの携帯端末装置が保持している通信相手の個人情報とを比較することによって差分情報を抽出し、通信手段によって互いに差分情報を送受信し、差分情報を基に通信相手の個人情報の更新を行う制御手段とを有することを特徴としているので、必要な情報のみを取捨選択して送受信することができ、無駄な情報送信に起因する事業者側のトラフィック軽減およびそれに伴うユーザ側の通信料削減が可能となる。
【００３９】
請求項３記載の回線負荷低減システムによれば、請求項１または２記載の回線負荷低減システムにおいて、個人情報記憶手段は、ユーザについての各情報を識別する要素番号、各情報の内容、各情報の更新日時で構成されることを特徴としているので、更新が必要な情報を取捨選択することができる。
【００４０】
請求項４記載の回線負荷低減システムによれば、請求項１または２記載の回線負荷低減システムにおいて、電話帳情報記憶手段は、通信相手についての各情報を識別する要素番号、各情報の内容、各情報の更新日時で構成されることを特徴としているので、更新が必要な情報を取捨選択することができる。
【００４１】
請求項５記載の回線負荷低減システムによれば、請求項１または２記載の回線負荷低減システムにおいて、制御手段は、個人情報記憶手段が保持している個人情報の更新日時と、電話帳情報記憶手段が保持している個人情報の更新日時とを、情報ごとに比較することによって差分情報を抽出することを特徴としているので、更新が必要な情報のみを取捨選択して送受信することができる。
【００４２】
請求項６記載の回線負荷低減システムによれば、請求項１または２記載の回線負荷低減システムにおいて、差分情報は、更新を必要とする情報のみで構成されることを特徴としているので、無駄な情報送信に起因する事業者側のトラフィック軽減およびそれに伴うユーザ側の通信料削減が可能となる。
【００４３】
請求項７記載の回線負荷低減システムによれば、請求項１または２記載の回線負荷低減システムにおいて、制御手段は、通信相手の個人情報の更新において、通信相手の個人情報を電話帳情報記憶手段に記録するとともに、現在日時情報を新たな更新日時として電話帳記憶手段に記録することを特徴としているので、更新日時を比較することによって差分情報を抽出することができる。
【００４４】
請求項８記載の回線負荷低減システムによれば、請求項１または２記載の回線負荷低減システムにおいて、制御手段は、通信相手の個人情報の更新において、通信相手の個人情報を受信する際に、現在日時情報を新たな更新日時として電話帳情報記憶手段に記録することを特徴としているので、それぞれの携帯端末装置の時計の誤差により発生する更新についての誤動作を防止できる。
【００４５】
請求項９記載の回線負荷低減システムによれば、請求項７または８記載の回線負荷低減システムにおいて、携帯端末装置が有している時計手段から現在日時情報は取得されることを特徴としているので、正確な更新日時を記録することができる。
【００４６】
請求項１０記載の携帯端末装置によれば、ユーザの個人情報を記憶する個人情報記憶手段と、通信相手の個人情報を複数記憶する電話帳情報記憶手段と、携帯端末装置間でユーザの個人情報および通信相手の個人情報を送受信する通信手段と、ユーザの個人情報および通信相手の個人情報とを比較して抽出した差分情報を用いて、電話帳情報記憶手段に保持している通信相手の個人情報を更新する制御を行う制御手段とを有し、請求項１から９記載の回線負荷低減システムで使用されることを特徴としているので、必要な情報のみを取捨選択して送受信することができ、無駄な情報送信に起因する事業者側のトラフィック軽減およびそれに伴うユーザ側の通信料削減が可能となる。
【図面の簡単な説明】
【図１】本発明の実施形態である第１の携帯電話と第２の携帯電話の機器構成を示すブロック図である。
【図２】本発明の実施形態である携帯電話内の不揮発メモリの構成を示す概念図である。
【図３】端末使用者個人情報記憶領域および電話帳情報記憶領域の構成例を示す図である。
【図４】本発明の第１の実施形態を示すシーケンスチャートである。
【図５】本発明の第２の実施形態を示すシーケンスチャートである。
【符号の説明】
１  携帯電話１
２  携帯電話２
１２、２２  不揮発メモリ
１３、１３  個人情報記憶領域
１４、２４  電話情報帳記憶領域
１５、２５  制御部
１６、２６  操作部
１７、２７  表示部
１８、２８  無線部
１９、２９  アンテナ
【図１】
2004172756.tif 000003
【図２】
2004172756.tif 000004
【図３】
2004172756.tif 000005
【図４】
2004172756.tif 000006
【図５】
2004172756.tif 000007